(57)【特許請求の範囲】
【請求項１】
ユーザの入力操作に基づき、予め定められた複数の制御内容にて電子機器を制御するためのユーザインターフェイスシステムであって、
複数の合隣接する領域に分割され、接触することによりユーザの入力操作を受け付ける操作面を有する操作手段と、
前記操作面におけるユーザの接触位置を検出する位置検出手段と、
前記操作手段に対する接触状態を維持している間において、ユーザが接触位置を変化させた場合に当該接触位置の変化を検出する位置変化検出手段と、
前記操作面に最初に接触した位置に基づいて前記制御内容を決定し、その後接触位置が変化した場合に当該接触位置の変化の変化量に応じた制御量に基づき前記制御内容で前記電子機器を制御する制御手段と、
を備え、
前記制御内容は一領域変化時における音量レベルであって、
前記制御手段は、当該接触位置が一領域変化する場合の制御量の変化分を、前記音量レベルの現在値の関数としたときの当該関数を示すグラフの形状が、前記現在値を横軸とし、前記一領域変化する場合の制御量の変化分を縦軸としたとき、滑らかな階段状の単調増加形状となるように、前記変化量に応じて前記制御量を可変させ、
前記制御手段はさらに、
前記現在値の第一の範囲、当該第一の範囲より大きい値の前記現在値が属する第二の範囲、及び当該第二の範囲より大きい値の前記現在値が属する第三の範囲、の夫々につき、
前記現在値が前記第二の範囲に属する場合における前記制御量の変化が、前記現在値が前記第一の範囲に属する場合における前記制御量の変化よりもなだらかであり、且つ、
前記現在値が前記第三の範囲に属する場合における前記制御量の変化が、前記現在地が前記第二の範囲に属する場合における前記制御量の変化よりも急激となるように前記制御量を可変させることを特徴とするユーザインターフェイスシステム。
【請求項２】
前記ユーザインターフェイスシステムは、前記電子機器に搭載される制御装置と、前記制御装置とは別体として設けられたリモコン装置と、を有し、
前記リモコン装置は、前記操作手段と前記位置検出手段とを有すると共に、前記位置検出手段によって検出された接触位置を示す位置情報を前記制御装置に送信する送信手段を、更に有し、
前記制御装置は、前記位置変化検出手段と前記制御手段とを有すると共に、前記リモコン装置から送信された前記位置情報を受信する受信手段を、更に有する一方、
前記位置変化検出手段は、前記位置情報に基づいて前記接触位置の変化を検出することを特徴とする請求項１に記載のユーザインターフェイスシステム。
【請求項３】
前記ユーザインターフェイスシステムは、前記電子機器に搭載される制御装置と、前記制御装置とは別体として設けられたリモコン装置と、を有し、
前記リモコン装置は、前記操作手段と前記位置検出手段と前記位置変化検出手段とを有すると共に、
(a)前記位置検出手段によって検出された前記接触位置及び
(b)前記位置変化検出手段によって検出された前記接触位置の変化
に対応した制御情報を送信する制御情報送信手段を、更に有し、
前記制御装置は、前記制御手段を有すると共に、前記制御信号を受信する受信手段を有する一方、
前記制御手段は前記制御情報に基づいて前記電子機器を制御する
ことを特徴とする請求項１に記載のユーザインターフェイスシステム。
【請求項４】
前記操作手段は、輪形状の操作子を有することを特徴とする請求項１に記載のユーザインターフェイスシステム。
【請求項５】
前記位置検出手段は、ユーザが接触した前記領域を検出すると共に、
前記位置変化検出手段は、接触状態を維持しつつユーザの接触領域に変化が生じた場合に当該接触領域の変化を検出する一方、
前記制御手段は、前記操作手段に接触した領域に基づいて前記制御内容を決定し、その後接触領域が変化した場合に当該変化した領域数に応じた制御量に基づき前記制御内容で前記電子機器を制御することを特徴とする請求項１に記載のユーザインターフェイスシステム。
【請求項６】
前記制御手段は、前記接触位置の変化方向に応じて前記制御量の増減を変更することを
特徴とする請求項１に記載のユーザインターフェイスシステム。
【請求項７】
前記制御手段は、更に前記接触位置の変化速度に応じて前記制御量の増減を変更することを特徴とする請求項１に記載のユーザインターフェイスシステム。
【請求項８】
前記制御手段は、前記制御内容及び前記制御量を予め規定した複数のモードを有し、前記モードに応じて、前記制御内容及び制御量を変化させることを特徴とする請求項１に記載のユーザインターフェイスシステム。
【請求項９】
ユーザの入力操作に基づき、予め定められた複数の制御内容にて電子機器を制御するためのユーザインターフェイス装置であって、
複数の合隣接する領域に分割され、接触することによりユーザの入力操作を受け付ける操作面を有する操作手段と、
前記操作面におけるユーザの接触位置を検出する位置検出手段と、
前記操作手段に対する接触状態を維持している間において、ユーザが接触位置を変化させた場合に当該接触位置の変化を検出する位置変化検出手段と、
前記操作面に最初に接触した位置に基づいて前記制御内容を決定し、その後接触位置が変化した場合に当該接触位置の変化の変化量に応じた制御量に基づき前記制御内容で前記電子機器を制御する制御手段と、
を備え、
前記制御内容は一領域変化時における音量レベルであって、
前記制御手段は、当該接触位置が一領域変化する場合の制御量の変化分を、前記音量レベルの現在値の関数としたときの当該関数を示すグラフの形状が、前記現在値を横軸とし、前記一領域変化する場合の制御量の変化分を縦軸としたとき、滑らかな階段状の単調増加形状となるように、前記変化量に応じて前記制御量を可変させ、
前記制御手段はさらに、
前記現在値の第一の範囲、当該第一の範囲より大きい値の前記現在値が属する第二の範囲、及び当該第二の範囲より大きい値の前記現在値が属する第三の範囲、の夫々につき、
前記現在値が前記第二の範囲に属する場合における前記制御量の変化が、前記現在値が前記第一の範囲に属する場合における前記制御量の変化よりもなだらかであり、且つ、
前記現在値が前記第三の範囲に属する場合における前記制御量の変化が、前記現在地が前記第二の範囲に属する場合における前記制御量の変化よりも急激となるように前記制御量を可変させることを特徴とするユーザインターフェイス装置。
【請求項１０】
ユーザの入力操作に基づき、予め定められた複数の制御内容にて電子機器を制御する電子機器の制御方法であって、
複数の合隣接する領域に分割され、接触することによりユーザの入力操作を受け付ける操作面を有する操作子におけるユーザの接触位置を検出する第１ステップと、
前記操作子に対する接触状態を維持している間において、ユーザが接触位置を変化させた場合に当該接触位置の変化を検出する第２ステップと、
前記操作子に最初に接触した位置に基づいて前記制御内容を決定し、その後接触位置が変化した場合に当該接触位置の変化の変化量に応じた制御量に基づき前記制御内容で前記電子機器を制御する第３ステップと、
を備え、
前記制御内容は一領域変化時における音量レベルであって、
前記第３ステップにおいては、当該接触位置が一領域変化する場合の制御量の変化分を、前記音量レベルの現在値の関数としたときの当該関数を示すグラフの形状が、前記現在値を横軸とし、前記一領域変化する場合の制御量の変化分を縦軸としたとき、滑らかな階段状の単調増加形状となるように、前記変化量に応じて前記制御量を可変させ、
前記第３ステップはさらに、
前記現在値の第一の範囲、当該第一の範囲より大きい値の前記現在値が属する第二の範囲、及び当該第二の範囲より大きい値の前記現在値が属する第三の範囲、の夫々につき、
前記現在値が前記第二の範囲に属する場合における前記制御量の変化が、前記現在値が前記第一の範囲に属する場合における前記制御量の変化よりもなだらかであり、且つ、
前記現在値が前記第三の範囲に属する場合における前記制御量の変化が、前記現在地が前記第二の範囲に属する場合における前記制御量の変化よりも急激となるように前記制御量を可変させることを特徴とする電子機器の制御方法。
【発明の詳細な説明】
【技術分野】
【０００１】
本発明は、制御対象となる電子機器を制御するための技術に関し、特に電子機器に用いるユーザインターフェイス装置の技術に関する。
【背景技術】
【０００２】
近年、ユーザの利便性の向上を目的として、ＤＶＤ／ＨＤ（Hard Disk）レコーダやテレビジョン受像器といった電子機器の高機能化が進み、これに伴い、リモコン装置や操作パネル上に配置されるボタン数が増加している現状にある。かかる現状は、ユーザの利便性確保のために行った機能向上であるにも関わらず、ユーザの操作性を低下させるという、相反する弊害をもたらすに至っている。このような現状から、例えば、特許文献１に記載の入力装置のように複数のボタンを設けることなく、タッチパネル上においてユーザが入力した入力内容に応じて、再生、停止等の制御内容を特定し、当該内容に対応した制御を行う電子機器が提案されるに至っている。
【特許文献１】特開２００１−１５４７６６号公報
【発明の開示】
【発明が解決しようとする課題】
【０００３】
ところで、実際に電子機器を制御しようとする場合、例えば、音量調整や再生スピードの調整を行う場合のように、制御量を指定する必要性がある場合が多い。しかし、上記特許文献１に記載の電子機器の場合、タッチパネルに対する入力操作に基づいて制御内容を指定することはできても、制御量を指定することはできなかった。【０００４】
この発明は、以上説明した事情に鑑みてなされたものであり、その課題の一例としては、ボタン数の増加を招くことなく、制御内容及び制御量の双方を指定可能なユーザインターフェイスシステム、ユーザインターフェイス装置及び電子機器の制御方法を提供することを目的とする。
【課題を解決するための手段】
【０００５】
上述した課題を解決するため、本願の一つの観点において請求項１に記載のユーザインターフェイスシステムは、ユーザの入力操作に基づき、予め定められた複数の制御内容にて電子機器を制御するためのユーザインターフェイスシステムであって、複数の合隣接する領域に分割され、接触することによりユーザの入力操作を受け付ける操作面を有する操作手段と、前記操作面におけるユーザの接触位置を検出する位置検出手段と、前記操作手段に対する接触状態を維持している間において、ユーザが接触位置を変化させた場合に当該接触位置の変化を検出する位置変化検出手段と、前記操作面に最初に接触した位置に基づいて前記制御内容を決定し、その後接触位置が変化した場合に当該接触位置の変化の変化量に応じた制御量に基づき前記制御内容で前記電子機器を制御する制御手段と、を備え、前記制御内容は一領域変化時における音量レベルであって、前記制御手段は、当該接触位置が一領域変化する場合の制御量の変化分を、前記音量レベルの現在値の関数としたときの当該関数を示すグラフの形状が、前記現在値を横軸とし、前記一領域変化する場合の制御量の変化分を縦軸としたとき、滑らかな階段状の単調増加形状となるように、前記変化量に応じて前記制御量を可変させ、前記制御手段はさらに、前記現在値の第一の範囲、当該第一の範囲より大きい値の前記現在値が属する第二の範囲、及び当該第二の範囲より大きい値の前記現在値が属する第三の範囲、の夫々につき、前記現在値が前記第二の範囲に属する場合における前記制御量の変化が、前記現在値が前記第一の範囲に属する場合における前記制御量の変化よりもなだらかであり、且つ、前記現在値が前記第三の範囲に属する場合における前記制御量の変化が、前記現在地が前記第二の範囲に属する場合における前記制御量の変化よりも急激となるように前記制御量を可変させることを特徴とする。
【０００６】
また、本願の他の観点において、請求項９に記載のユーザインターフェイス装置は、ユーザの入力操作に基づき、予め定められた複数の制御内容にて電子機器を制御するためのユーザインターフェイス装置であって、複数の合隣接する領域に分割され、接触することによりユーザの入力操作を受け付ける操作面を有する操作手段と、前記操作面におけるユーザの接触位置を検出する位置検出手段と、前記操作手段に対する接触状態を維持している間において、ユーザが接触位置を変化させた場合に当該接触位置の変化を検出する位置変化検出手段と、前記操作面に最初に接触した位置に基づいて前記制御内容を決定し、その後接触位置が変化した場合に当該接触位置の変化の変化量に応じた制御量に基づき前記制御内容で前記電子機器を制御する制御手段と、を備え、前記制御内容は一領域変化時における音量レベルであって、前記制御手段は、当該接触位置が一領域変化する場合の制御量の変化分を、前記音量レベルの現在値の関数としたときの当該関数を示すグラフの形状が、前記現在値を横軸とし、前記一領域変化する場合の制御量の変化分を縦軸としたとき、滑らかな階段状の単調増加形状となるように、前記変化量に応じて前記制御量を可変させ、前記制御手段はさらに、前記現在値の第一の範囲、当該第一の範囲より大きい値の前記現在値が属する第二の範囲、及び当該第二の範囲より大きい値の前記現在値が属する第三の範囲、の夫々につき、前記現在値が前記第二の範囲に属する場合における前記制御量の変化が、前記現在値が前記第一の範囲に属する場合における前記制御量の変化よりもなだらかであり、且つ、前記現在値が前記第三の範囲に属する場合における前記制御量の変化が、前記現在地が前記第二の範囲に属する場合における前記制御量の変化よりも急激となるように前記制御量を可変させることを特徴とする。
【０００７】
また更に、本願の他の観点において、請求項１０に記載の電子機器の制御方法は、ユーザの入力操作に基づき、予め定められた複数の制御内容にて電子機器を制御する電子機器の制御方法であって、複数の合隣接する領域に分割され、接触することによりユーザの入力操作を受け付ける操作面を有する操作子におけるユーザの接触位置を検出する第１ステップと、前記操作子に対する接触状態を維持している間において、ユーザが接触位置を変化させた場合に当該接触位置の変化を検出する第２ステップと、前記操作子に最初に接触した位置に基づいて前記制御内容を決定し、その後接触位置が変化した場合に当該接触位置の変化の変化量に応じた制御量に基づき前記制御内容で前記電子機器を制御する第３ステップと、を備え、前記制御内容は一領域変化時における音量レベルであって、前記第３ステップにおいては、当該接触位置が一領域変化する場合の制御量の変化分を、前記音量レベルの現在値の関数としたときの当該関数を示すグラフの形状が、前記現在値を横軸とし、前記一領域変化する場合の制御量の変化分を縦軸としたとき、滑らかな階段状の単調増加形状となるように、前記変化量に応じて前記制御量を可変させ、前記第３ステップはさらに、前記現在値の第一の範囲、当該第一の範囲より大きい値の前記現在値が属する第二の範囲、及び当該第二の範囲より大きい値の前記現在値が属する第三の範囲、の夫々につき、前記現在値が前記第二の範囲に属する場合における前記制御量の変化が、前記現在値が前記第一の範囲に属する場合における前記制御量の変化よりもなだらかであり、且つ、前記現在値が前記第三の範囲に属する場合における前記制御量の変化が、前記現在地が前記第二の範囲に属する場合における前記制御量の変化よりも急激となるように前記制御量を可変させることを特徴とする。
【図面の簡単な説明】
【０００８】
【図１】第１実施形態におけるユーザＩ／ＦシステムＵＩＳの構成を示すブロック図である。
【図２】同実施形態におけるリモコン装置ＲＣに設けられたタッチパット１２１上の各位置と制御内容の対応関係を例示する図である。
【図３】同実施形態におけるＤＶＤ／ＨＤレコーダＤＨＲのシステム制御部２０６が実行する処理を示すフローチャートである。
【図４】同実施形態におけるＤＶＤ／ＨＤレコーダＤＨＲのシステム制御部２０６が実行する処理を示すフローチャートである。
【図５】変形例３にかかるユーザＩ／ＦシステムＵＩＳにおいて、一領域変化した場合における音量レベルの変化量と、現状の音量レベルとの関係を示す図である。
【符号の説明】
【０００９】
ＵＩＳ    ユーザＩ／Ｆシステム
ＲＣ    リモコン装置
１１    送信部
１２    操作部
１２１    リングパット
１３    制御部
１４    システム制御部
ＤＨＲ    ＤＶＤ／ＨＤレコーダ
２０１    ＴＶ受信部
２０２    信号処理部
２０３    ＤＶＤドライブ
２０４    ＨＤドライブ
２０５    復号処理部
２０６    システム制御部
２０７    リモコン受信部
２０８    記録制御部
２０９    再生制御部
２１０    ＲＯＭ／ＲＡＭ部
２１１    システムバス
【発明を実施するための最良の形態】
【００１０】
［１］第１実施形態
［１．１］第１実施形態の構成
（１）ユーザインターフェイスシステムの概要
まず、本実施形態にかかるユーザインターフェイスシステムＵＩＳ（以下、「インターフェイス」を「Ｉ／Ｆ」と略称する）の構成を示す図１を参照しつつ、ユーザＩ／ＦシステムＵＩＳについて説明する。なお、以下に説明する実施の形態は、本願にかかるユーザインターフェイス装置（以下、「インターフェイス」を「Ｉ／Ｆ」と略称する）をＤＶＤ／ＨＤ（ハードディスク）レコーダＤＨＲの制御に適用した実施の形態となっている。【００１１】
まず、同図に示すように、本実施形態にかかるユーザＩ／ＦシステムＵＩＳは、例えば、リモコン装置ＲＣと、操作対象となる電子機器としてのＤＶＤ／ＨＤレコーダＤＨＲと、このＤＶＤ／ＨＤレコーダＤＨＲに接続されたモニタＭＮと、を有しており、ユーザがリモコン装置ＲＣに行った入力操作に対応した制御がＤＶＤ／ＨＤレコーダＤＨＲにおいて実行される。【００１２】
また、本実施形態において特徴的な事項として、このリモコン装置ＲＣには、リング形状の操作子（例えば、タッチパット）であるリングパット１２１が設けられており、ユーザが、このリングパット１２１に対して行った入力操作に応じてＤＶＤ／ＨＤレコーダＤＨＲにおいて各種の制御が実行される。【００１３】
かかる機能を実現するため、本実施形態においては、このリングパット１２１上の全範囲を複数の領域に分割し、各領域に対して複数の制御内容（例えば、音量調整や再生スピード調整等）を定義付けている。そして、ユーザがリングパット１２１上の所定領域に指等の体の一部（以下、「指」と略称する）を接触させ、押圧した場合（以下、単に「接触」という。）、当該接触した領域に基づいて制御内容が特定され、当該内容に合致する制御が実行される。なお、以下の説明において単に「領域」というときは、このリングパット１２１上の領域を意味するものとする。【００１４】
また、電子機器（本実施形態においてはＤＶＤ／ＨＤレコーダＤＨＲ）における制御の中には、例えば、画面のスクロール表示を行う場合や音量調整を行う場合のように制御内容のみならず制御量の指定が必要となる場合も多い。そこで、本実施形態においては、ユーザがリングパット１２１を連続的に指でなぞり、そのなぞった領域の数（すなわち、接触開始時からリングパット１２１から指を離すまでになぞった領域数）により制御量を指定する方法を採用することとした。なお、本実施形態において「連続的になぞる」というときはリングパット１２１から指を離すことなく（すなわち、接触状態を維持しつつ）、リングパット１２１の周方向に指を移動させ、複数の領域に接触する操作を意味するものとする。【００１５】
以下、かかる機能を実現する各装置の具体的な構成について以下説明する。
（２）リモコン装置ＲＣの具体的構成
まず、リモコン装置ＲＣは、ユーザの入力操作を受け付け当該入力操作に対応した信号をＤＶＤ／ＨＤレコーダＤＨＲに送信するための装置であり、本実施形態においては、例えば、送信部１１と、操作部１２と、制御部１３と、各要素間を相互に接続するデータバス１４と、を有している。【００１６】
送信部１１は、発光ダイオードを有しており、制御部１２による制御の下、データバス１４を介して入力されたデータを赤外線によりＤＶＤ／ＨＤレコーダＤＨＲに送信する。【００１７】
操作部１２は、リモコン装置ＲＣの筐体上に配設された各種のボタンやカーソルキーを有し、ユーザの入力操作に対応した入力信号を制御部１３に出力する。また、本実施形態において特徴的な事項として、この操作部１２には上述したリングパット１２１が設けられており、ユーザは指で、このリングパット１２１に接触することにより、各種の入力操作を行えるようになっている。なお、このリングパット１２１は如何なるデバイスによって構成するようにしても良い。例えば、（ａ）静電容量に基づいてユーザの接触を検出する形式のタッチパットや、（ｂ）ユーザが接触している位置に応じて抵抗値を変化させてユーザの接触を検出する形式のタッチパット、或いは、（ｃ）ストロークが「０」に近い複数のボタンを配置したタッチパット、等のデバイスを用いることが可能となっている。【００１８】
ここで、このリングパット１２１について図２を参照しつつより詳細に説明する。なお、図２は、タッチパット１２１上の各位置と制御内容の対応関係を例示する図である。【００１９】
同図に示すように、本実施形態にかかるタッチパット１２１は、周上の全範囲を複数の領域（図２の場合、３２領域）に分割した領域毎に、当該領域を示す領域番号と制御内容とが対応付けて定義されている。例えば、図２に示す例の場合、「１」〜「８」番の領域が「再生スピードの調整」なる制御内容に定義付けられ、「９」〜「１６」番の領域が「音量調整」なる制御内容に定義付けられ、「１７」〜「２４」番の領域が「タイトルの移動」なる制御内容に定義付けられ、「２５」〜「３２」番の領域が「チャプタの移動」なる制御内容に定義付けられている。【００２０】
制御部１３は、主としてＣＰＵ（Central Processing Unit）により構成されリモコン装置ＲＣの各部を制御する。またこの制御部１３は、ＲＯＭ（Read Only Memory）等のメモリを有しており、このＲＯＭ内にはＤＶＤ／ＨＤレコーダＤＨＲを遠隔制御するための遠隔制御情報が記録されている。制御部１３は、この遠隔制御情報に基づいてユーザが操作部１２に対して行った入力操作に対応する制御信号を送信部１１を介してＤＶＤ／ＨＤレコーダＤＨＲに送信する。【００２１】
具体的には、ユーザが操作部１２の所定ボタンを押下すると、制御部１３は、この遠隔制御情報に基づいて制御信号をＤＶＤ／ＨＤレコーダＤＨＲに送信する。【００２２】
また、ユーザが指をリングパット１２１に接触させた場合、制御部１３は、当該接触された領域を特定した後、遠隔制御情報に基づいて当該領域の領域番号を示す制御信号をＤＶＤ／ＨＤレコーダＤＨＲに送信する。例えば、上記図２に示す例において、ユーザが「１０」番の領域に接触した場合、制御部１３は、この領域を示す領域番号「１０」を示す制御信号をＤＶＤ／ＨＤレコーダＤＨＲに送信する。この結果、ＤＶＤ／ＨＤレコーダＤＨＲにおいては、当該制御信号に基づいてユーザの指定した制御内容が「音量調整」であることが特定されることとなる。【００２３】
また更に、ユーザが指でリングパット１２１を連続的になぞり、指の接触している領域に変化が生じた場合、制御部１３は、順次、ユーザの接触している領域の領域番号を示す制御信号をＤＶＤ／ＨＤレコーダＤＨＲに送信する。このようにして、リモコン装置ＲＣから送信されてきた制御信号に基づいて、ユーザがリングパット１２１を連続的になぞったことがＤＶＤ／ＨＤレコーダＤＨＲにより検出され、例えば、音量レベルが順次変更される等、所定量の制御が行われることとなる。【００２４】
なお、ユーザの指が複数の領域に跨って接触したような場合に如何なる取り扱いを行うかは任意である。例えば、かかる場合については、エラーとして処理して、制御信号を送信しないようにし、その後にユーザの指が移動して最初に接触した領域の領域番号を制御信号として出力するようにしても良い。また、複数の領域においてユーザの指が接触している範囲が広い領域の領域番号を示す制御信号を出力するようにしても良い。更には、予め優先度を決めておき、当該優先度の高い領域の領域番号を示す制御信号を出力するようにしても良い。【００２５】
（３）ＤＶＤ／ＨＤレコーダＤＨＲの具体的構成
次に、ＤＶＤ／ＨＤレコーダＤＨＲの具体的な構成について説明する。【００２６】
まず、図１に示すように本実施形態にかかるＤＶＤ／ＨＤレコーダＤＨＲは、例えば、ＴＶ受信部２０１と、信号処理部２０２と、ＤＶＤドライブ２０３と、ＨＤドライブ２０４と、復号処理部２０５と、システム制御部２０６と、リモコン受信部２０７と、記録制御部２０８と、再生制御部２０９と、ＲＯＭ／ＲＡＭ部２１０と、これら各要素間を相互に接続するシステムバス２１１と、を有し、ＤＶＤドライブ２０３に装着されたＤＶＤに対するデータの記録及び再生や、ＨＤドライブ２０４に搭載されたＨＤに対するデータの記録及び再生が実現される。【００２７】
また、本実施形態においてＤＶＤ／ＨＤレコーダＤＨＲは、リモコン装置ＲＣから送信されてくる制御信号に基づいて当該制御信号に対応した処理が実行される。特に、リモコン装置ＲＣから送信されてきた制御信号がリングパット１２１における領域番号を示すものである場合、ＤＶＤ／ＨＤレコーダＤＨＲにおいては当該領域番号に対応した制御が行われる。【００２８】
以下、かかる機能を有するＤＶＤ／ＨＤレコーダＤＨＲを構成する各要素について、説明する。【００２９】
まず、ＴＶ受信部２０１は、アンテナＡＴを介して各放送局から送信された放送波、例えば、ＶＨＦ（Very High Frequency）放送等のＲＦ信号を受信し、ユーザの選択した受信帯域に同調して受信された放送波をＩＦ（中間周波数）信号に変換する。また、このＴＶ受信部２０１は、変換されたＩＦ信号をＴＶ用の映像信号および音声信号（すなわち、ＴＶ信号）に復調して、信号処理部２０２に出力する。【００３０】
信号処理部２０２は、記録制御部２０８による制御の下、ＴＶ受信部２０１から供給されるＴＶ信号に対して所定の形式の信号変換またはＡ／Ｄ変換などの予め定められた処理を施して、所定形式のデジタルデータ（すなわち、コンテンツデータ）に変換する。また、この信号処理部２０２は、当該変換して得られたデジタルデータを、例えば、ＭＰＥＧ（Moving Picture Coding Experts Group）形式にエンコードすると共に、当該エンコード後のコンテンツデータに基づいてプログラムストリームを生成し、この生成されたプログラムストリームをＤＶＤドライブ２０３、或いは、ＨＤドライブ２０４に供給する。【００３１】
ＤＶＤドライブ２０３は、ＤＶＤを着脱可能な構成を有するとともに、ＡＴＡＰＩ（ATAttachment Packet Interface）などの規格に準拠したＤＶＤ用ドライブインターフェースを有し、装着されたＤＶＤに対するデータの記録及び再生を行う。ＨＤドライブ２０４は、ＡＴＡＰＩなどの規格に準拠したＨＤ用ドライブインターフェースを有し、ＨＤに対するデータの記録及び再生を行う。【００３２】
復号処理部２０５には、ＤＶＤまたはＨＤに記録されたコンテンツデータの再生時に、ＤＶＤおよびＨＤから読み出されたプログラムストリーム形式のコンテンツデータが入力される。この復号処理部２０５は、再生制御部２０９の制御の下、入力されたプログラムストリームを音声データと映像データに分離すると共に、これらの各データをデコードする。また、復号処理部２０５は、このようにしてデコードされたコンテンツデータをＮＴＳＣ形式の信号に変換し、当該変換された映像信号を映像信号出力端子Ｔ１および音声信号出力端子Ｔ２を介してモニタＭＮに出力する。【００３３】
リモコン受信部２０７は、例えば、リモコン装置ＲＣから赤外線により送信された制御信号を受信し、当該受信した制御信号をシステム制御部２０６に出力する。【００３４】
次いで記録制御部２０８は、システム制御部２０６による制御の下、ＤＶＤ或いはＨＤに対するコンテンツデータの記録を制御し、再生制御部２０９は、システム制御部２０６による制御の下、ＤＶＤ或いはＨＤに記録されたコンテンツデータの再生を制御する。【００３５】
システム制御部２０６は、主としてＣＰＵにより構成されると共に、キー入力ポート等の各種入出力ポートを含み、ＤＶＤ／ＨＤレコーダＤＨＲの全体的な機能を統括的に制御する。かかる制御に際して、システム制御部２０６は、ＲＯＭ／ＲＡＭ部２１０に記録されている制御情報を利用すると共に、当該ＲＯＭ／ＲＡＭ部２１０をワークエリアとして利用する。【００３６】
例えば、このシステム制御部２０６は、リモコン装置ＲＣから送信される制御信号に基づいて記録制御部２０８及び再生制御部２０９に対する制御を施し、ＤＶＤやＨＤに対するデータの記録及び再生を行わせる。【００３７】
また、リモコン装置ＲＣから送信されてきた制御信号がリングパット１２１上における領域番号を示すものである場合、システム制御部２０６は当該制御信号により示される領域番号に基づいて制御内容を特定し、当該制御内容に対応した制御を行うための状態（以下、「制御モード」という）に遷移するようになっている。【００３８】
更に、所定の制御モード下（例えば、音量調整のためのモード）においてリモコン装置ＲＣから送信されてくる領域番号が変化した場合、システム制御部２０６は当該変化に合わせて、例えば、音量レベルのアップ、ダウン等の制御を行うようになっている。この結果、ユーザがリングパット１２１を連続的に指でなぞった場合、そのなぞった領域の数に対応した制御量分だけ、例えば、音量レベルがアップ、ダウンされることとなる。なお、この際の処理の詳細については動作の項にて詳述する。【００３９】
更にまた、システム制御部２０６は、所定の制御モード下において、リモコン装置ＲＣにおいてリングパット１２１からユーザの指が離れたことが検出された場合、当該制御モードによる制御を終了する。【００４０】
なお、システム制御部２０６がリングパット１２１から指が離れたか否かを判定する方法については任意である。但し、本実施形態においては次の方法により判定を行うものとして説明を行う。すなわち、ユーザがリングパット１２１に接触している指を動かして、指の接触している領域が変化した場合のみならず、ユーザが指を動かすことなくリングパット１２１に対する接触状態を継続している場合であってもリモコン装置ＲＣから一定の周期（例えば、３０ｍｓｅｃに一回）にてユーザの接触している領域の領域番号を示す制御信号を出力するようにする。そして、当該周期以上の時間、リモコン装置ＲＣから制御信号が送信されて来なければリングパット１２１から指が離れたものと判定するのである。【００４１】
［１．２］第１実施形態の動作
以下、本実施形態にかかるユーザＩ／ＦシステムＵＩＳの動作について説明することとする。なお、以下の説明においては、説明をより具体的なものとするため、リモコン装置ＲＣを用いてＤＶＤ／ＨＤレコーダＤＨＲを制御する場合を例に説明を行うものとし、リモコン装置ＲＣのリングパット１２１の各領域に対応付けられている制御内容は、上記図２のようなものである場合を例に説明を行うものとする。【００４２】
まず、ユーザがＤＶＤ／ＨＤレコーダＤＨＲの図示せぬ操作パネルを操作して、ＤＶＤ／ＨＤレコーダＤＨＲの電源を投入する。この状態において、ユーザがリモコン装置ＲＣのリングパット１２１に接触すると、リモコン装置ＲＣの制御部１３は、当該ユーザの接触した領域に対応する領域番号を示す制御信号を送信部１１を介してＤＶＤ／ＨＤレコーダＤＨＲに送信する。【００４３】
このようにして、リモコン装置ＲＣから制御信号が送信され、当該制御信号がＤＶＤ／ＨＤレコーダＤＨＲのリモコン受信部２０７によって受信されると、システム制御部２０６においては、当該制御信号の受信をトリガとして図３及び図４に示す処理が実行されることとなる。なお、図３及び図４は、リモコン装置ＲＣから領域番号を示す制御信号が送信されてきた場合に、システム制御部２０６が実行する処理を示すフローチャートであり、この処理はシステム制御部２０６が実行するメインルーチンのサブルーチンとして処理されるものとなっている。【００４４】
この処理において、システム制御部２０６は、まず、当該制御信号に基づいて領域番号を特定し（ステップＳ１）、当該領域番号が「１」〜「８」、「９」〜「１６」、「１７」〜「２４」、「２５」〜「３２」の何れに属すのかを判定する（ステップＳ２）。そして、システム制御部２０６は、この判定結果に応じて、各制御内容を実現するため以下のような処理を実行する。【００４５】
＜領域番号が「１」〜「８」（再生スピード調整）の場合＞
ステップＳ１において特定された領域番号が「１」〜「８」の場合、システム制御部２０６は、コンテンツデータが再生中か否かを判定し（ステップＳ３）、この判定において「ｎｏ」と判定すると処理をメインルーチンに処理を復帰するのに対して、「ｙｅｓ」と判定した場合、再生スピードを調整するためのモードに遷移する（ステップＳ４）。このモードに遷移した場合、システム制御部２０６は、まず、現状の再生スピードをＲＯＭ／ＲＡＭ部２１０に記憶させると共に、当該再生スピードを示す画像データを生成して、復号処理部２０５に供給する（ステップＳ５）。この結果、モニタＭＮ上には、現状の再生スピード等の情報が表示されることとなる。次いで、システム制御部２０６は、リングパット１２１からユーザが指を離したか否かを判定する状態となり（ステップＳ６）、指を離したものと判定すると（「ｙｅｓ」）、処理をメインルーチンに復帰させる。【００４６】
一方、ステップＳ６において「ｎｏ」と判定した場合、システム制御部２０６は、リモコン装置ＲＣから送信されてくる制御信号により示される領域番号が変化したか否かを判定する（ステップＳ７）。ここで、例えば、ユーザが指をリングパット１２１に接触させたまま停止している場合、リモコン装置ＲＣからは、同一の領域番号を示す制御信号が一定の周期にて送信されてくる状態となる。かかる場合にシステム制御部２０６は、ステップＳ７において「ｎｏ」と判定し、ステップＳ６の処理にリターンする。【００４７】
これに対して、例えば、ユーザが指でリングパット１２１をなぞった場合、リモコン装置ＲＣから送信されてくる制御信号により示される領域番号に変化が生じる。かかる場合に、システム制御部２０６は、ステップＳ７において、「ｙｅｓ」と判定し、かかる領域番号の変化により番号が増加したか否かを判定する状態になる（ステップＳ８）。【００４８】
そして、この判定において「ｙｅｓ」と判定した場合（すなわち、ユーザがリングパット１２１を時計回りに連続的になぞった場合）、システム制御部２０６は、現状の再生スピードから所定量だけ再生スピードを増加させて、当該変化後の再生スピードをＲＯＭ／ＲＡＭ部２１０に記憶させた後（ステップＳ９）、ステップＳ５の処理にリターンする。これに対して、ステップＳ８において「ｎｏ」と判定した場合（すなわち、反時計回りに連続的になぞった場合）、現状の再生スピードから所定量だけ再生スピードを減少させて、当該変化後の再生スピードをＲＯＭ／ＲＡＭ部２１０に記憶させた後（ステップＳ１０）、ステップＳ５の処理にリターンする。なお、再生スピードの変化量を、どのような基準に従って決定するかについては、任意であり、例えば、次のような方法を採用するようにしても良い。まず、再生速度を「−３」〜「０」〜「＋３」の７レベルに分け、各レベル毎に（１）「−３」＝３倍速での巻き戻し再生、（２）「−２」＝２倍速での巻き戻し再生、（３）「−１」＝１．５倍速での巻き戻し再生、（４）「０」＝通常の再生速度、（５）「＋１」＝１．５倍速での早送り再生、（６）「＋２」＝２倍速での早送り再生、（７）「＋３」＝３倍速での早送り再生、と定義付ける。そして、領域番号の変化に合わせて、再生スピードのレベルを増減させて再生スピードを調整するようにしても良い。【００４９】
以後、かかるステップＳ５〜ステップＳ１０の処理が繰り返される結果、順次、ユーザの所望する再生スピードまで調整が行われ、ユーザがリングパット１２１から指を離した時点で、システム制御部２０６は、ステップＳ６において「ｙｅｓ」と判定して処理をメインルーチンに復帰させる。【００５０】
＜領域番号が「９」〜「１６」（音量調整）の場合＞
ステップＳ１において特定された領域番号が「９」〜「１６」の場合、システム制御部２０６は音量調整のためのモードに遷移する（ステップＳ１１）。このモードに遷移した場合、システム制御部２０６は、現状の音量レベルをＲＯＭ／ＲＡＭ部２１０に記憶させると共に、当該音量レベルを表示するための画像データを生成して、復号処理部２０５に供給する（ステップＳ１２）。この結果、モニタＭＮ上には現状の音量レベルが表示されることとなる。次いで、システム制御部２０６は、ステップＳ１３〜Ｓ１５において上記ステップＳ６〜Ｓ８と同様の処理を実行し、ステップＳ１５において「ｙｅｓ」と判定した場合、音量レベルを指でなぞられた領域番号の変化量に応じて増加させて、当該変化後の音量レベルをＲＯＭ／ＲＡＭ部２１０に上書きし（ステップＳ１６）、ステップＳ１２の処理にリターンする。なお、この際、一領域変化時に変更する音量レベルの値については任意であり、例えば、一領域変化に対して音量レベルを「１」レベル分だけ変更するように制御しても良いし、一領域変化時に「２」、「３」レベル変更するようにしても良い。これに対して、「ｎｏ」と判定した場合、システム制御部２０６は、音量レベルを指でなぞられた領域番号の変化量に応じて減少させて、当該変化後の音量レベルをＲＯＭ／ＲＡＭ部２１０に上書きし（ステップＳ１７）、ステップＳ１２の処理にリターンする。以後、かかるステップＳ１２〜Ｓ１７の処理を繰り返すことにより音量調整が行われ、ユーザがリングパット１２１から指を離した時点で、システム制御部２０６は、ステップＳ１３において「ｙｅｓ」と判定して処理をメインルーチンに復帰させる。【００５１】
＜領域番号が「１７」〜「２４」（タイトルの移動）の場合＞
ステップＳ１において特定された領域番号が「１７」〜「２４」の場合、システム制御部２０６は、タイトルを移動させるためのモードに遷移する（ステップＳ１８）。ここで、「タイトル」とは、コンテンツデータの番組名を意味し、タイトルの移動とは再生対象となるコンテンツデータを選択する操作を意味する。このモードに遷移した場合、システム制御部２０６は、再生対象となっているＤＶＤ等に記録されているデータに基づいて記録されている番組のリストを示すメニュー画面を表示するための画像データを復号処理部２０５に出力する（ステップＳ１９）。なお、メニュー画面の表示方法については、任意であり、例えば、ＤＶＤ等にメニュー画面に対応する画像データを記録するようにして、この画像データに基づいてリストを表示するようにしても良い。また、ＨＤ等に記録されているコンテンツデータの最初のフレームの画像をリストとしたメニュー画面を表示するようにしても良い。【００５２】
このようにして、一覧表が表示された状態となると、システム制御部２０６は、ステップＳ２０〜Ｓ２２において上記ステップＳ６〜Ｓ８と同様の処理を実行し、ステップＳ２２において「ｙｅｓ」と判定した場合、選択されているメニュー項目を所定方向ａに指でなぞられた領域番号の変化量に応じて移動させ（ステップＳ２３）、ステップＳ１９の処理にリターンする。一方、「ｎｏ」と判定した場合、システム制御部２０６は、選択されているメニュー項目を方向ａと反対方向ｂに指でなぞられた領域番号の変化量に応じて移動させ（ステップＳ２４）、ステップＳ１９の処理にリターンする。なお、この際の移動方向については、メニュー画面の表示形式に応じて適宜決定する必要が有り、メニュー項目を、例えば、１行多列にて表示する場合、ステップＳ２３において選択項目を上（すなわち、ａ＝上）に移動させ、ステップＳ２４において選択項目を下（すなわち、ｂ＝下）に移動させるようにすれば良い。以後、かかるステップＳ１９〜Ｓ２４の処理が繰り返されることによりタイトル選択が行われ、ユーザがリングパット１２１から指を離した時点で、システム制御部２０６は、ステップＳ１９において「ｙｅｓ」と判定して、当該時点で選択されていたメニュー項目に対応したコンテンツデータの再生を開始して（ステップＳ２５）、処理をメインルーチンに復帰させる。【００５３】
＜領域番号が「２５」〜「３２」（チャプタの移動）の場合＞
ステップＳ１において特定された領域番号が「２５」〜「３２」の場合、システム制御部２０６は、コンテンツデータが再生中か否かを判定し（ステップＳ２６）、この判定において「ｎｏ」と判定すると処理をメインルーチンに復帰させるのに対して、「ｙｅｓ」と判定した場合、再生の位置を他のチャプタまで移動させるためのモードに遷移する（ステップＳ２７）。なお、チャプタとは、コンテンツデータに対応する番組の区切りタイミングを示すデータである。このモードに遷移した場合、システム制御部２０６は、まず、再生中のコンテンツデータにおける再生位置（すなわち、再生開始からの再生時間）をＲＯＭ／ＲＡＭ部２１０に記憶させると共に、現在の再生位置に最も近いチャプタを表示するための画像データを生成して、復号処理部２０５に供給する（ステップＳ２８）。この結果、モニタＭＮ上には、現在再生中のチャプタを示す情報が表示されることとなる。次いで、システム制御部２０６は、ステップＳ２９〜Ｓ３１において、上記ステップＳ６〜Ｓ８と同様の処理を実行し、ステップＳ３１において「ｙｅｓ」と判定した場合、ＲＯＭ／ＲＡＭ部２１０に記憶されているチャプタから指でなぞられた領域番号の変化量に応じた値だけ再生位置を後にチャプタジャンプさせ、当該ジャンプ後のチャプタを示すデータをＲＯＭ／ＲＡＭ部２１０に上書きして（ステップＳ３２）、ステップＳ２８の処理にリターンする。これに対して、ステップＳ３１において「ｎｏ」と判定した場合、システム制御部２０６は、ＲＯＭ／ＲＡＭ部２１０に記憶されているチャプタから指でなぞられた領域番号の変化量に応じた値だけ再生位置を前にチャプタジャンプさせ、当該ジャンプ後のチャプタを示すデータをＲＯＭ／ＲＡＭ部２１０に上書きして（ステップＳ３３）、ステップＳ２８の処理にリターンする。【００５４】
以後、ステップＳ２８〜ステップＳ３３の処理を繰り返し、再生位置が変更され、ユーザがリングパット１２１から指を離した時点で、システム制御部２０６は、ステップＳ２９において「ｙｅｓ」と判定して処理をメインルーチンに復帰させる。【００５５】
このようにして、本実施形態にかかるユーザＩ／ＦシステムＵＩＳは、ユーザの入力操作に基づき、予め定められた複数の制御内容にてＤＶＤ／ＨＤレコーダＤＨＲを制御するためのシステムであって、リモコン装置ＲＣには、接触することによりユーザの入力操作を受け付けるリングパット１２１を有する操作部１２と、ユーザの接触領域を検出する制御部１３とが設けられ、ＤＶＤ／ＨＤレコーダＤＨＲにおいてシステム制御部２０６は、リングパット１２１に対する接触状態を維持しつつ、ユーザが接触位置を変化させた場合（すなわち、連続的になぞった場合）に当該接触領域の変化を検出し、リングパット１２１に接触した領域に基づいて制御内容を決定し、その後接触領域に変化した場合に変化した領域数に応じた制御量に基づき、特定されている制御内容にて制御を行う構成となっている。【００５６】
この構成により、ユーザが接触した領域に基づいて制御対象が決定され、更に、ユーザが連続的になぞった領域数に応じた制御量にて制御が行われることとなり、持ってボタン数の増加を招くことなく、制御内容及び制御量の双方を指定可能となる。【００５７】
また、本実施形態においてシステム制御部２０６は、接触領域の変化方向に応じて制御量の増減を変更する構成となっているため、例えば、音量調節を行う場合に、時計回り、或いは、反時計回りにてリングパット１２１を連続的になぞるという簡易な入力操作により音量調整を行うことが可能となり、もってユーザの利便性を向上させることが可能となる。【００５８】
なお、上記実施形態においては、ＤＶＤ／ＨＤレコーダＤＨＲを制御する場合を例に説明を行ったが、制御対象となる電子機器は、例えば、テレビジョン受像器やＡＶ（Audio Visual）アンプ、ポータブルＤＶＤプレーヤ、ＭＰ３（MPEG Audio Layer-3）プレーヤ、カーナビゲーション装置等、如何なる電子機器であっても良い。この場合であっても、上記実施形態と同様の方法により制御を行うことが可能である。【００５９】
また、上記第１実施形態においては、リモコン装置ＲＣの操作部１２に対してリング状の操作子（すなわち、リングパット１２１）を設けた例について説明したが、操作部１２に設ける操作子は、周方向に対して領域を分割して入力操作を行うことができれば良く、例えば、３角形や四角形、５角形等あらゆる形状のものを用いることができる。また、この場合、各辺に対して制御内容を定義付けて、ユーザが最初に接触した辺によって制御内容を特定するようにすることも可能である。【００６０】
また更に、上記第１実施形態においては、リングパット１２１上の各領域に対して４つの操作を定義付けた場合について説明したが、定義付ける操作は４つに限らず、幾つであっても良い。【００６１】
更に、上記第１実施形態においては、再生スピードの調整等を行う場合について例示的に説明したが、制御内容は、これに限られず、制御内容と制御量からなる処理であれば如何なる制御に対して適用するようにしても良い。【００６２】
更にまた、上記第１実施形態においては、リングパット１２１上の全範囲を複数の領域に分割し、ユーザの指が接触している領域の変化量に応じて、制御量を変更する構成を採用していた。しかし、ユーザが最初に接触した領域からなぞった距離を算出して、制御量を変更することも可能である。この場合、リングパット１２１上の各位置を座標値として管理し、座標の変化量に基づいて制御量を変更するようにすれば良い。【００６３】
また、上記実施形態においては、リングパット１２１を領域分割した方法について説明したが、リングパット１２１をストロークが「０」に近い複数のボタンを配置した構成の場合、各ボタンを領域として取り扱うことも可能である。【００６４】
［１．３］変形例
（１）変形例１
上記実施形態においては、リモコン装置ＲＣからユーザの指が接触した領域の領域番号を示す制御信号を送信し、ＤＶＤ／ＨＤレコーダＤＨＲにおいて当該制御信号により示される領域番号に対応した制御内容を特定し、更に、制御量を変更する方法が採用されていた。しかし、リモコン装置ＲＣ内において、ユーザの接触した領域に対応する制御内容及び制御量を特定し、当該制御内容及び制御量に対応する制御信号をＤＶＤ／ＨＤレコーダＤＨＲに送信するようにすることも可能である。この場合、リモコン装置ＲＣの制御部１３において上記図３及び図４の処理を実行して、ステップＳ９、Ｓ１０、Ｓ１６、Ｓ１７、Ｓ２３、Ｓ２４、Ｓ３２、Ｓ３３において当該制御内容に対応した制御信号を出力するようにすれば良い。【００６５】
また、ＤＶＤ／ＨＤレコーダＤＨＲ本体に操作部としてリングパット１２１を設け、このリングパット１２１上におけるユーザの入力操作に応じて、上記図３及び図４の処理を実行するようにしても良い。この場合、リモコン装置ＲＣを設けるようにしても良いし、設けなくとも良い。【００６６】
（２）変形例２
上記実施形態においてはユーザが連続的になぞった領域数のみに基づいて制御量を決定する方法を採用していたが、領域数のみならず連続的になぞった際の速度も加味して制御量を決定するようにしても良い。この場合、ユーザがリングパット１２１をなぞり、ユーザの指の接触している領域が変化した場合に、一領域分の変化に要した時間数をＤＶＤ／ＨＤレコーダＤＨＲのシステム制御部２０６において管理する。そして、なぞるスピードが速く、当該時間数が所定値以内である場合には、例えば、音量レベルを一度に「２」或いは「３」レベルずつ変化させるようにしても良い。【００６７】
このようにして本変形例によれば、速度をも加味して制御量を決定されるため、制御の自由度を向上させることが可能となる。【００６８】
（３）変形例３
上記実施形態においては、ユーザの指の接触している領域が、一領域変化する毎に所定制御量分だけ制御を行う方法を採用していた。しかし、一領域変化した場合における制御量は一定値である必要性はない。例えば、音量レベルについては、現状の音量レベルを加味しつつ、一領域変化時における制御量を決定するようにすることも可能である。【００６９】
この場合、現状の音量レベルに対して、一領域変化時に変更する音量レベルを、図５に示す例のように設定し、低音量レベル時及び高音量レベル時に一領域変化すると「２」或いは「３」レベル分だけ変更するように制御しても良い。この方法を採用した場合、現状の音量レベル等に応じて、制御の自由度を広げ、例えば、一定の音量レベル時に微調整を行うような制御を行うことも可能となる。【００７０】
（４）変形例４
上記実施形態においては、リモコン装置ＲＣのリングパット１２１の各領域に対して定義付ける制御内容を変更することは考慮していなかった。これに対して、本変形例は、リングパット１２１の各領域に対して定義付ける制御内容を変更可能としようとするものである。【００７１】
かかる機能を実現するため、本変形例においては、当該リモコン装置ＲＣにおけるモードを切り換えるためのボタンを操作部１２に設けると共に、例えば、液晶パネルからなる表示部をリモコン装置ＲＣに設ける。そして、ユーザがモード切り換え用のボタンを選択する度に、リングパット１２１の各領域に定義付ける制御内容を変更し、これに合わせて、表示部に現在のモードと各領域に定義付けられている制御内容を表示するようにする。より具体的には、例えば、モード１において上記図２のような制御内容を各領域に割り当てると共に、モード２においては「１」〜「８」番の領域に「コマ送り再生」なる制御内容を定義付け、「９」〜「１６」番の領域に「録画年月日の選択」なる制御内容を定義付け、「１７」〜「２４」番の領域が「録画時刻の選択」なる制御内容を定義付け、「２４」〜「３２」番の領域が「録画チャネルの選択」なる制御内容を定義付ける。そして、選択されたモードに合わせて、表示部上にリングパット１２１に定義付けられている制御内容を表示するようにするのである。【００７２】
また、この場合、リモコン装置ＲＣから現在のモード及び領域番号の双方を示す制御信号を送信し、当該制御信号に基づいてＤＶＤ／ＨＤレコーダＤＨＲにおいてユーザの入力操作に対応した制御内容を特定するようにすれば良い。【００７３】
なお、かかる構成を採用する場合、ユーザの任意にて各領域に対応付ける制御内容を変更可能な構成としても良い。【００７４】
このようにして、本変形例においては、リモコン装置ＲＣに複数のモードを設け、このモードを切り換えることによりリングパット１２１に定義付けられている制御内容が変更される構成となっているため、１つのリングパットを用いて行うことが可能な制御内容を増加させ、リモコン装置ＲＣに設けるボタン数を更に減少させることが可能となる。
【図１】
0004273154.tif 000002
【図２】
0004273154.tif 000003
【図３】
0004273154.tif 000004
【図４】
0004273154.tif 000005
【図５】
0004273154.tif 000006